(57)【要約】【課題】外部から遠心力などの運動学的作用を加えることなしに、微量の検体から検査対象成分を分離して当該検査対象成分の濃度を測定することができる検体濃度測定装置およびこの検体濃度測定装置に用いられるマイクロ流路チップを提供する。【解決手段】本発明の検体濃度測定装置は、液状の検体から検査対象成分を分離して流通させる流路、および当該流路を流通した検査対象成分が流入される測定部を有するマイクロ流路チップと、このマイクロ流路チップにおける測定部に対して光を照射する光源と、前記マイクロ流路チップにおける測定部を透過した光を受光する受光部と、この受光部から送信されたデータに基づいて前記検査対象成分の濃度を演算する演算部とを備えてなることを特徴とする。【選択図】図２
2017075912.tif 000002
【特許請求の範囲】
【請求項１】
液状の検体から検査対象成分を分離して流通させる流路、および当該流路を流通した検査対象成分が流入する測定部を有するマイクロ流路チップと、
このマイクロ流路チップにおける測定部に対して光を照射する光源と、
前記マイクロ流路チップにおける測定部を透過した光を受光する受光部と、
この受光部から送信されたデータに基づいて前記検査対象成分の濃度を演算する演算部と
を備えてなることを特徴とする検体濃度測定装置。
【請求項２】
前記検体が血液であり、前記検査対象成分が前記血液から分離された血漿に含まれるビリルビンであることを特徴とする請求項１に記載の検体濃度測定装置。
【請求項３】
前記光源と前記受光部との間の光路上に配置された、透過する光の波長域を４５５ｎｍ近傍の波長域および５７５ｎｍ近傍の波長域に制限する光学フィルタを備えてなることを特徴とする請求項２に記載の検体濃度測定装置。
【請求項４】
２つの前記光源を有し、
一方の前記光源と前記受光部との間の光路上に配置された、透過する光の波長域を４５５ｎｍ近傍の波長域に制限する第１の光学フィルタと、
他方の前記光源と前記受光部との間の光路上に配置された、透過する光の波長域を５７５ｎｍ近傍の波長域に制限する第２の光学フィルタと
を備えてなることを特徴とする請求項２に記載の検体濃度測定装置。
【請求項５】
請求項１乃至請求項４のいずれかに記載の検体濃度測定装置に用いられるマイクロ流路チップであって、
液状の検体を流通させる第一流路と、この第一流路から分岐して形成された、当該第一流路に連通する第二流路と、この第二流路を流通した検査対象成分が流入される測定部とを内部に有し、
前記第二流路は、前記第一流路を流通する検体から検査対象成分を分離することが可能な幅を有することを特徴とするマイクロ流路チップ。
【請求項６】
前記第一流路の幅が１０μｍ以上１０００μｍ以下であり、
前記第二流路の幅が０．１μｍ以上５μｍ以下であることを特徴とする請求項５に記載のマイクロ流路チップ。
【請求項７】
前記測定部における厚み方向の幅が１０μｍ以上１０００μｍ以下であることを特徴とする請求項５または請求項６に記載のマイクロ流路チップ。
【発明の詳細な説明】
【技術分野】
【０００１】
本発明は、検体濃度測定装置およびマイクロ流路チップに関する。更に詳しくは、血液などの検体から検査対象成分を分離して濃度を測定する検体濃度測定装置、およびこの検体濃度測定装置に用いられるマイクロ流路チップに関する。
【背景技術】
【０００２】
血清（血漿）の色の主体成分であるビリルビンは、主に赤血球内のヘモグロビンの崩壊によって生じる。このビリルビンが体内で増加すると、体全体の皮膚が黄染して黄疸となる。一般に、新生児期に現れる黄疸（新生児の９０％程度）の多くは、生理的な症状であり、生後３〜５日で自然に消失する。しかし、生理的黄疸の範囲を超える病的黄疸（黄疸が現れた新生児の２０％程度）は、中枢神経障害をもたらす「核黄疸」に進行し、脳性まひ、難聴、知的障害等の重篤な後遺症に帰結する可能性があり、死亡につながる場合がある。これを未然に防ぐために、ＮＩＣＵ（新生児集中治療室）や産科では、黄疸が現れた新生児について、血中のビリルビンを定量的に測定して総ビリルビン濃度によってスクリーニングを行い、総ビリルビン濃度の高い新生児に対しては、光線治療が行われている。そして、ビリルビンを定量的に測定する方法としては、主に比色法が採用されている。
【０００３】
比色法によるビリルビンの定量測定方法としては、血漿について、互いに異なる２つの波長における光の吸光度を測定することによって、血漿中に含まれるビリルビンの濃度を測定する、２波長測光による方法が知られている（例えば非特許文献１参照。）。
この２波長測光によるビリルビンの定量測定方法について、具体的に説明すると、以下の通りである。
【０００４】
血液から抽出された血漿中には、ビリルビンの他に、溶血ヘモグロビン（損傷した赤血球内部より漏出したヘモグロビン）が含まれる場合がある。このような場合には、血漿の分光吸収曲線を測定すると、図５に示すように、血漿の吸収曲線は、ビリルビンの吸収曲線と溶血ヘモグロビンと吸収曲線とが合成された吸収曲線となる。図５において、実線は、抽出された血漿の吸収曲線、点線はビリルビンの吸収曲線、一点破線は溶血ヘモグロビンの吸収曲線である。
【０００５】
図５から理解されるように、ビリルビンによる吸収ピークは波長４５５ｎｍである。しかしながら、波長４５５ｎｍにおける血漿による吸収には、ビリルビンによる吸収の他に、溶血ヘモグロビンによる吸収が含まれており、従って、波長４５５ｎｍにおける血漿の吸光度Ｂ1 は、ビリルビンの吸光度Ｂ2 と溶血ヘモグロビンの吸光度Ｈ2 との和である。このため、吸光度Ｂ1 のみからビリルビンの濃度を求めることができない。
一方、血漿の吸収曲線において、ビリルビンによる吸収がなく、溶血ヘモグロビンによる吸収のみがある波長５７５ｎｍに着目すると、血漿の吸光度Ｈ1 の値は、波長４５５ｎｍにおける溶血ヘモグロビンの吸光度Ｈ2 の値と近似している。
そこで、波長４５５ｎｍにおける吸光度Ｂ1 の値から、波長５７５ｎｍにおける吸光度Ｈ1 の値を減じることにより、ビリルビンの吸光度Ｂ2 の値に近似した値が得られ、この値から、ビリルビンの濃度を求めることが可能となる。
【０００６】
また、血液中のビリルビンの濃度を測定するためには、血液からビリルビンを含む血漿を抽出することが必要である。血液から血漿を抽出する方法としては、毛細管内に封入した血液を、遠心分離処理することにより、血液中の血漿と血球とを分離する方法が知られている（例えば特許文献１参照。）。
【先行技術文献】
【非特許文献】
【０００７】
【非特許文献１】小川善資、「比色分析装置の基礎」、生物試料分析、生物試料分析科学会、２０１３年、第３６巻、第３号、ｐ．２７３−２８０
【特許文献】
【０００８】
【特許文献１】特開平６−４３１５８号公報
【発明の概要】
【発明が解決しようとする課題】
【０００９】
しかしながら、血液から血漿を分離するために遠心分離を利用する場合には、比較的多量の血液が必要とされ、また、遠心分離機を使用するため、大型の装置を構成することが必要となる、という問題がある。このため、遠心分離を利用せずに、微量の血液から血漿を分離し、当該血漿中のビリルビンの濃度を測定することができる検体濃度測定装置が望まれている。
【００１０】
そこで、本発明の目的は、外部から遠心力などの運動学的作用を加えることなしに、微量の検体から検査対象成分を分離して当該検査対象成分の濃度を測定することができる検体濃度測定装置およびこの検体濃度測定装置に用いられるマイクロ流路チップを提供することにある。
【課題を解決するための手段】
【００１１】
本発明の検体濃度測定装置は、液状の検体から検査対象成分を分離して流通させる流路、および当該流路を流通した検査対象成分が流入される測定部を有するマイクロ流路チップと、
このマイクロ流路チップにおける測定部に対して光を照射する光源と、
前記マイクロ流路チップにおける測定部を透過した光を受光する受光部と、
この受光部から送信されたデータに基づいて前記検査対象成分の濃度を演算する演算部と
を備えてなることを特徴とする。
【００１２】
本発明の検体濃度測定装置は、前記検体が血液であり、前記検査対象成分が前記血液から分離された血漿に含まれるビリルビンである場合に好適に用いられる。
このような検体濃度測定装置においては、前記光源と前記受光部との間の光路上に配置された、透過する光の波長域を４５５ｎｍ近傍の波長域および５７５ｎｍ近傍の波長域に制限する光学フィルタを備えてなることが好ましい。
また、２つの前記光源を有し、
一方の前記光源と前記受光部との間の光路上に配置された、透過する光の波長域を４５５ｎｍ近傍の波長域に制限する第１の光学フィルタと、
他方の前記光源と前記受光部との間の光路上に配置された、透過する光の波長域を５７５ｎｍ近傍の波長域に制限する第２の光学フィルタと
を備えてなることが好ましい。
【００１３】
本発明のマイクロ流路チップは、上記の検体濃度測定装置に用いられるマイクロ流路チップであって、
液状の検体を流通させる第一流路と、この第一流路から分岐して形成された、当該第一流路に連通する第二流路と、この第二流路を流通した検査対象成分が流入される測定部とを内部に有し、
前記第二流路は、前記第一流路を流通する検体から検査対象成分を分離することが可能な幅を有することを特徴とする。
【００１４】
本発明のマイクロ流路チップにおいては、前記第一流路の幅が１０μｍ以上１０００μｍ以下であり、
前記第二流路の幅が０．１μｍ以上５μｍ以下であることが好ましい。
また、前記測定部における厚み方向の幅が１０μｍ以上１０００μｍ以下であることが好ましい。
【発明の効果】
【００１５】
本発明の検体濃度測定装置によれば、マイクロ流路チップは、液状の検体から検査対象成分を分離して流通させる流路と、分離された検査対象成分が流入される測定部とを有するため、外部から遠心力などの運動学的作用を加えることなしに、微量の検体から検査対象成分を分離して測定部に貯留することができる。従って、光源によって検査対象成分が貯留した測定部に光を照射して、その透過光を受光部によって検出することにより、比色法を利用して検査対象成分の濃度を測定することができる。
【図面の簡単な説明】
【００１６】
【図１】本発明の検体濃度測定装置の一例における構成を示す説明図である。
【図２】図１に示す検体濃度測定装置におけるマイクロ流路チップの構成を示す平面図である。
【図３】図２に示すマイクロ流路チップの要部を示す説明図であり、（ａ）は、第一流路、第二流路および測定部を拡大して示す平面図、（ｂ）は、（ａ）のＡ−Ａ断面端面図である。
【図４】本発明の検体濃度測定装置の一例における構成を示す説明図である。
【図５】血漿成分、ビリルビンおよび溶血ヘモグロビンの各々の分光吸収スペクトルを示すグラフである。
【発明を実施するための形態】
【００１７】
以下、本発明の検体濃度測定装置の実施の形態について説明する。
図１は、本発明の検体濃度測定装置の一例における構成を示す説明図である。図２は、図１に示す検体濃度測定装置におけるマイクロ流路チップの構成を示す平面図である。図３は、図２に示すマイクロ流路チップの要部を示す説明図であり、（ａ）は、第一流路、第二流路および測定部を拡大して示す平面図、（ｂ）は、（ａ）のＡ−Ａ断面端面図である。
この検体濃度測定装置は、液状の検体である血液から検査対象成分であるビリルビンを含む血漿を分離してビリルビンの濃度を測定するものである。
【００１８】
図１に示す検査対象測定装置は、検査対象成分が流入される測定部２６を有するマイクロ流路チップ１０と、このマイクロ流路チップ１０における測定部２６に対して当該マイクロ流路チップ１０の厚み方向に光を照射する光源３０と、マイクロ流路チップ１０における測定部２６を透過した光を受光する受光部４０と、この受光部４０から送信されたデータに基づいて検査対象成分の濃度を演算する演算部を有する制御機構５０とを備えてなる。
【００１９】
光源３０とマイクロ流路チップ１０との間の光路上には、透過する光の波長域を制限する光学フィルタ３５が配置されている。光学フィルタ３５とマイクロ流路チップ１０との間には、入射される光を平行化するレンズ３８が配置されている。マイクロ流路チップ１０と受光部４０との間には、マイクロ流路チップ１０における測定部２６を透過して光を、受光部４０に集光するレンズ４１が配置されている。また、光源３０は、当該光源３０に電気を供給する電源３１に電気的に接続されている。この電源３１は、制御機構５０に電気的に接続されている。
【００２０】
マイクロ流路チップ１０は、第一基板１２および第二基板１５よりなるチップ基体１１を有し、第一基板１２と第二基板１５とが接合された板状体によって構成されている。
第一基板１２および第二基板１５の各々の厚みは、特に限定されるものではないが、例えば０．１ｍｍ以上５．０ｍｍ以下である。
チップ基体１１（第一基板１２および第二基板１５）を構成する材料としては、光源部からの光を透過し得るもの、例えばガラス材料や樹脂材料を用いることができる。
【００２１】
マイクロ流路チップ１０は、液状の検体を流通させる第一流路２０と、この第一流路２０に連通する複数の第二流路２５とを有する。第二流路２５の各々は、第一流路２０から分岐して当該第一流路２０に対して垂直方向に伸び、等間隔で離間して配列された状態で形成されている。
第一流路２０における上流側端は、検体導入部２１から導入された検体を貯留する検体貯留部２２に接続されている。第一流路２０の下流側端は、第一排出部２３に接続されている。また、第二流路２５の各々の下流側端は、検体から分離された特定の成分が流入される測定部２６に接続されている。この測定部２６には、第三流路２７が接続されており、この第三流路２７の下流側端は、第二排出部２８に接続されている。
【００２２】
図示の例では、第一流路２０は、第一基板１２に形成された第一流路用溝１３ａの内壁面と、第二基板１５とによって区画されることにより形成されている。また、第二流路２５は、第二基板１５に形成された第二流路用溝１６の内壁面と、第一基板１２とによって区画されることにより形成されている。また、測定部２６は、第一基板１２に形成された測定部用凹所１３ｂの内壁面と、第二基板１５とによって区画されることにより形成されている。
第一流路２０、第二流路２５および測定部２６の各々の内壁面には、親水化処理が施されていることが好ましい。具体的には、第一流路２０、第二流路２５および測定部２６の各々の内壁面における水の接触角が９０°以下であることが好ましく、より好ましくは５０°以下である。
【００２３】
第一流路２０は、液状の検体（例えば血液）を流通させることが可能な幅を有する。本発明において、流路の「幅」とは、流路における当該流路が伸びる方向に垂直な断面において、当該流路の最も小さい幅を意味する。図示の例の第一流路２０および第二流路２５においては、マイクロ流路チップ１０の厚み方向の幅が最も小さい幅である。
このような第一流路２０の幅は、１０μｍ以上１０００μｍ以下であることが好ましく、より好ましくは５０μｍ以上３００μｍ以下である。第一流路２０の幅が過小である場合には、測定部２６に供給することができる特定の成分（例えば血漿）の量が少なくなり、特定の成分を抽出するために相当に長い時間を要する虞がある。一方、第一流路２０の幅が過大である場合には、毛細管力が小さくなるために血液が流れるのが遅くなり、測定部２６に到達するのに相当に長い時間を要する虞れがある。
また、第一流路２０の上流側端から第二流路２５との分岐点までの長さは、特に限定されるものではないが、例えば１０μｍ以上１００ｍｍ以下である。
【００２４】
第二流路２５は、第一流路２０を流通する検体である血液から検査対象成分であるビリルビンを含む血漿を分離することが可能な幅を有する。
このような第二流路２５の幅は、０．１μｍ以上５μｍ以下であることが好ましく、より好ましくは１μｍ以上１．５μｍ以下である。第二流路２５の幅が過小である場合には、抽出することができる特定の成分の量が少なくなる虞がある。一方、第二流路２５の幅が過大である場合には、特定の成分以外の成分（例えば赤血球などの血球成分）が混入する虞れがある。
また、第二流路２５の長さは、特に限定されるものではないが、例えば１ｍｍ以上１０ｍｍ以下である。
また、第二流路２５の数は、例えば１０本以上１０００本以下である。
【００２５】
また、測定部２６における厚み方向の幅が１０μｍ以上１０００μｍ以下であることが好ましく、より好ましくは１００μｍ以上５００μｍ以下である。
また、測定部２６における面方向の幅は、それぞれ０．１μｍ以上１．０ｍｍ以下であることが好ましい。
【００２６】
光源３０としては、検査対象成分の濃度を測定するために必要な波長域を含む光を放射するものが用いられている。この例においては、血漿に含まれるビリルビンの濃度を測定するために必要な４５５ｎｍ近傍の波長域および５７５ｎｍ近傍の波長域を含む光を放射する光源３０が用いられている。
このような光源３０の具体例としては、互いに異なる波長域の光を放射する２種のＬＥＤ素子、例えばピーク発光波長４５０ｎｍのＬＥＤ素子とピーク発光波長５７０ｎｍのＬＥＤ素子とにより構成されたものが挙げられる。
【００２７】
光学フィルタ３５としては、透過する光の波長域を、検査対象成分の濃度を測定するために必要な波長域に制限するバンドパスフィルタが用いられている。この例においては、光学フィルタ３５として、透過する光の波長域を、血漿に含まれるビリルビンの濃度を測定するために必要な４５５ｎｍ近傍の波長域および５７５ｎｍ近傍の波長域に制限するマルチバンドパスフィルタが用いられている。光学フィルタ３５を透過する４５５ｎｍ近傍の波長域および５７５ｎｍ近傍の波長域のバンド幅は、それぞれ半値幅で１０ｎｍ以上１５ｎｍ以下である。
【００２８】
受光部４０としては、検査対象成分の濃度を測定するために必要な波長域を含む光を検出することが可能なものが用いられている。この例においては、血漿に含まれるビリルビンの濃度を測定するために必要な４５５ｎｍ近傍の波長域および５７５ｎｍ近傍の波長域を含む光を検出することが可能な受光部４０が用いられている。
受光部４０の具体例としては、フォトダイオード、光電子倍増管（フォトマル）等の高感度光検出器、ＣｄＳよりなるフォトレジスタなどよりなるものが挙げられる。この例においては、４５５ｎｍ近傍の波長域および５７５ｎｍ近傍の波長域を同時に検出することが可能なフォトダイオードアレイよりなる受光部４０が好ましい。
【００２９】
制御機構５０は、検査対象成分の濃度を演算する演算部を有すると共に、光源３０に電気を供給する電源３１を制御する電源制御部を有する。
この例においては、演算部によって、受光部４０から送信された、光の強度に係るデータに基づいて、ビリルビンの濃度が演算される。具体的に説明すると、受光部４０から送信されたデータのうち、波長４５５ｎｍの光の強度に係るデータに基づいて波長４５５ｎｍにおける吸光度Ａ455 が算出されると共に、波長５７５ｎｍの光の強度データに基づいて波長５７５ｎｍにおける吸光度Ａ575 が算出される。ここで、吸光度Ａ455 は、波長４５５ｎｍにおけるビリルビンの吸光度および溶血ヘモグロビンの吸光度の和とみなすことができる。一方、Ａ575 は、波長５７５ｎｍにおける溶血ヘモグロビンの吸光度とみなすことができる。そして、波長５７５ｎｍにおける溶血ヘモグロビンの吸光度は、波長４５５ｎｍにおける溶血ヘモグロビンの吸光度に近似した値であることから、吸光度Ａ455 から吸光度Ａ575 を減じた値（Ａ455 −Ａ575 ）を、波長４５５ｎｍにおけるビリルビンの吸光度とみなすことができる。そして、吸光度と濃度とが比例関係にあること（ランベルト−ベールの法則）を利用して、予め取得した検量線とＡ455 −Ａ575 の値とから、ビリルビンの濃度が算出される。
【００３０】
このような検体濃度測定装置においては、先ず、液状の検体（この例では血液）がマイクロ流路チップ１０の検体導入部２１から導入されて検体貯留部２２に貯留される。検体貯留部２２に貯留された検体は、毛細管現象によって第一流路２０を流通し、第二流路２５との分岐点に到達する。そして、この分岐点においては、検体中における第二流路２５の幅より大きいサイズの成分（この例では血球）は、第二流路２５に進入することができないため、第一流路２０を下流側に向かって流通する。一方、検体中における第二流路２５の幅より小さいサイズの特定の成分（この例では検査対象成分であるビリルビンを含む血漿）は、第二流路２５に進入することができるため、第二流路２５を流通し、測定部２６に流入される。
【００３１】
そして、マイクロ流路チップ１０の測定部２６に特定の成分が充填された状態において、光源３０から放射された光が、光学フィルタ３５およびレンズ３８を介して、マイクロ流路チップ１０の測定部２６に照射される。光学フィルタ３５を透過する光、すなわちマイクロ流路チップ１０の測定部２６に照射される光の波長域は、当該光学フィルタ３５によって４５５ｎｍ近傍の波長域および５７５ｎｍ近傍の波長域に制限される。その後、マイクロ流路チップ１０の測定部２６を透過した光は、受光部４０によって検出される。そして、受光部４０によって検出された光の強度に係るデータは、制御機構５０の演算部に送信され、当該演算部に送信されたデータに基づいて検査対象成分であるビリルビンの濃度が演算される。
【００３２】
上記の検体濃度測定装置によれば、マイクロ流路チップ１０は、第一流路２０を流通する液状の検体から検査対象成分を分離して流通させる第二流路２５と、分離された検査対象成分が流入される測定部２６とを有するため、外部から遠心力などの運動学的作用を加えることなしに、微量の検体から検査対象成分を分離して測定部２６に貯留することができる。従って、光源３０によって検査対象成分が貯留した測定部２６に光を照射して、その透過光を受光部４０によって検出することにより、比色法を利用して検査対象成分の濃度を測定することができる。
【００３３】
図４は、本発明の検体濃度測定装置の他の例における構成を示す説明図である。この検体濃度測定装置は、液状の検体である血液から検査対象成分であるビリルビンを含む血漿を分離してビリルビンの濃度を測定するものである。
図４に示す検査対象測定装置においては、第１の光源３２および第２の光源３３が設けられている。具体的に説明すると、第１の光源３２は、マイクロ流路チップ１０における測定部２６に対向するよう配置され、第２の光源３３は、第１の光源３２からの光の光路に対して垂直な方向に向いた状態で配置されている。第１の光源３２および第２の光源３３は、に電気を供給する電源３１に電気的に接続されている。
第１の光源３２からの光の光路と第２の光源３３からの光の光路との交点位置には、第１の光源３２からの光を透過すると共に第２の光源３３からの光を反射するダイクロイックミラー３４が、第１の光源３２からの光の光路および第２の光源３３からの光の光路の各々に対して４５°に傾斜した状態で配置されている。
【００３４】
第１の光源３２とダイクロイックミラー３４との間の光路上には、透過する光の波長域を制限する第１の光学フィルタ３６が配置されている。第１の光学フィルタ３６とダイクロイックミラー３４との間には、入射される光を平行化するレンズ３８が配置されている。第２の光源３３とダイクロイックミラー３４との間の光路上には、透過する光の波長域を制限する第２の光学フィルタ３７が配置されている。第２の光学フィルタ３７とダイクロイックミラー３４との間には、入射される光を平行化するレンズ３９が配置されている。図４に示す検体濃度測定装置におけるその他の構成は、図１に示す検体濃度測定装置における構成と同様である。
【００３５】
この例の検査対象測定装置において、第１の光源３２としては、例えばピーク発光波長が４５０ｎｍのＬＥＤ素子よりなるものが用いられている。一方、第２の光源３３としては、ピーク発光波長が５７０ｎｍのＬＥＤ素子よりなるものが用いられている。
また、第１の光学フィルタ３６としては、透過する光の波長域を４５５ｎｍ近傍の波長域に制限するバンドパスフィルタが用いられている。一方、第２の光学フィルタ３７としては、透過する光の波長域を５７５ｎｍ近傍の波長域に制限するバンドパスフィルタが用いられている。第１の光学フィルタ３６を透過する４５５ｎｍ近傍の波長域および第２の光学フィルタ３７を５７５ｎｍ近傍の波長域のバンド幅は、それぞれ半値幅で１０ｎｍ以上１５ｎｍ以下である。
【００３６】
このような検体濃度測定装置においては、図１に示す検体濃度測定装置と同様にして、検体中における第二流路２５の幅より小さいサイズの特定の成分（検査対象成分であるビリルビンを含む血漿）が測定部２６に流入される。
【００３７】
そして、マイクロ流路チップ１０の測定部２６に特定の成分が充填された状態において、第１の光源３２から放射された光が、第１の光学フィルタ３６、レンズ３８およびダイクロイックミラー３４を介して、マイクロ流路チップ１０の測定部２６に照射される。これと共に、第２の光源３３から放射された光が、第２の光学フィルタ３７、レンズ３９およびダイクロイックミラー３４を介して、マイクロ流路チップ１０の測定部２６に照射される。その後、マイクロ流路チップ１０の測定部２６を透過した光は、受光部４０によって検出される。そして、受光部４０によって検出された光の強度に係るデータは、制御機構５０の演算部に送信され、当該演算部に送信されたデータに基づいて検査対象成分であるビリルビンの濃度が演算される。
以上において、マイクロ流路チップ１０の測定部２６に対して、第１の光源３２から光を照射する動作および第２の光源３３から光を照射する動作は、同時に行われてもよいが、いずれか一方の動作が行われた後、他方の動作が行われてもよい。
【００３８】
上記の検体濃度測定装置によれば、マイクロ流路チップ１０は、第一流路２０を流通する液状の検体から検査対象成分を分離して流通させる第二流路２５と、分離された検査対象成分が流入される測定部２６とを有するため、外部から遠心力などの運動学的作用を加えることなしに、微量の検体から検査対象成分を分離して測定部２６に貯留することができる。従って、第１の光源３２および第２の光源３３によって検査対象成分が貯留した測定部２６に光を照射して、その透過光を受光部４０によって検出することにより、比色法を利用して検査対象成分の濃度を測定することができる。
【実施例】
【００３９】
〈実施例１〉
図２に示す構成に従って、下記の仕様のマイクロ流路チップを作製した。
チップ基体は、材質がポリメチルメタクリレート（ＰＭＭＡ）樹脂で、第一基板の厚みが１．０ｍｍ、第二基板の厚みが１．０ｍｍである。第一流路は、長さが１００ｍｍ、厚み方向の幅が１００μｍ、面方向の幅が３００μｍである。第二流路は、長さが１．０ｍｍ、厚み方向の幅が２μｍ、面方向の幅が５０μｍであり、第二流路用溝の数は１０本である。測定部は、厚み方向の幅が１００μｍ、面方向の幅がそれぞれ１０００μｍ×１０００μｍである。また、第一流路の上流側端から、当該第一流路の最も上流側において分岐した第二流路との分岐点までの長さは、５０ｍｍである。
【００４０】
上記のマイクロ流路チップを用い、図１に示す構成の検体濃度測定装置を作製した。
そして、マイクロ流路チップに、ヒトの血液５μＬを導入し、５分間放置した。その後、光源を点灯させることにより、マイクロ流路チップの測定部に光を照射し、測定部を透過した光を受光部によって検出することにより、制御機構の演算部においてビリルビンの濃度を求めた。
【００４１】
〈参考例〉
ヒトの血液を導入したマイクロ流路チップの代わりに、遠心分離によってヒトの血液から抽出した血漿が充填された容器を用いたこと以外は、実施例１において同様にしてビリルビンの濃度を求めた。
【００４２】
実施例１において測定されたビリルビンの濃度と、参考例において測定されたビリルビンの濃度とを比較したところ、両者は同等の値を示していることが確認された。
【符号の説明】
【００４３】
１０  マイクロ流路チップ
１１  チップ基体
１２  第一基板
１３ａ  第一流路用溝
１３ｂ  測定部用凹所
１５  第二基板
１６  第二流路用溝
２０  第一流路
２１  検体導入部
２２  検体貯留部
２３  第一排出部
２５  第二流路
２６  測定部
２７  第三流路
２８  第二排出部
３０  光源
３１  電源
３２  第１の光源
３３  第２の光源
３４  ダイクロイックミラー
３５  光学フィルタ
３６  第１の光学フィルタ
３７  第２の光学フィルタ
３８，３９  レンズ
４０  受光部
４１  レンズ
５０  制御機構
【図１】
2017075912.tif 000003
【図２】
2017075912.tif 000004
【図３】
2017075912.tif 000005
【図４】
2017075912.tif 000006
【図５】
2017075912.tif 000007